(57)【要約】【課題】取付けスペースや重量を増大させずに腕金の両側にサイズが異なる箱状機器をなるべく多数取り付けることができる箱状機器取付け金具を提供すること。【解決手段】第１金具１１と第２金具１２とから構成され、第２金具１２は第２箱状機器取付け片部１２ａと第２金具側連結片部１２ｂ，１２ｃとを有しており、第２箱状機器に対して第２箱状機器取付け片部１２ａが水平方向および鉛直方向に取り付け可能である。第１金具１１は、第１箱状機器取付け片部１１ａと、第２箱状機器に対して鉛直方向に取り付けられた第２金具１２の第２金具側連結片部１２ｂ，１２ｃに当接して連結可能な第１金具側垂直方向連結片部１１ｂ，１１ｃと、第２箱状機器に対して水平方向に取り付けられた第２金具１２の第２金具側連結片部１２ｂ，１２ｃに当接して連結可能な第１金具側水平方向連結片部１１ｄ，１１ｅとを有する。【選択図】図１５
2015149806.tif 000002
【特許請求の範囲】
【請求項１】
電柱や支柱等の柱からほぼ水平に延びる腕金の左右両側にそれぞれ第１箱状機器と第２箱状機器の２個の箱状機器を取付けるための箱状機器取付け金具であって、
腕金が通されて腕金に固定されると共に、第１箱状機器を取り付け可能な第１金具と、
第２箱状機器が固定されると共に、腕金に固定された第１金具に連結される第２金具とから構成され、
前記第２金具は、
第２箱状機器が取付けられる第２箱状機器取付け片部と、
その第２箱状機器取付け片部に連続しており、前記第１金具と連結ボルトにより連結される第２金具側連結ボルト孔が形成された第２金具側連結片部とを有しており、第２箱状機器に対して前記第２箱状機器取付け片部が水平方向および鉛直方向に取り付け可能であることを特徴とする箱状機器取付け金具。
【請求項２】
請求項１記載の箱状機器取付け金具において、
前記第１金具は、
第１箱状機器に取付けるための第１箱状機器取付け片部と、
その第１箱状機器取付け片部に連続しており、腕金を貫通させる腕金貫通孔が形成されていると共に、第２箱状機器に対して鉛直方向に取り付けられた第２金具の第２金具側連結片部に当接して連結ボルトにより連結可能な鉛直方向第１金具側連結ボルト孔を有する第１金具側垂直方向連結片部と、
その第１金具側垂直方向連結片部から水平方向に延び、第２箱状機器に対して水平方向に取り付けられた第２金具の第２金具側連結片部に当接して連結ボルトにより連結可能な水平方向第１金具側連結ボルト孔を有する第１金具側水平方向連結片部とを有する、
ことを特徴とする箱状機器取付け金具。
【請求項３】
請求項１または請求項２記載の箱状機器取付け金具において、
前記第１金具の第１金具側垂直方向連結片部の上部には、腕金の長手方向の一方側へ折り曲げられて延び、腕金の上側面に連結ボルトにより連結される腕金取付け面を有する一方、
前記第１金具側水平方向連結片部は、腕金取付け面とは反対の方向に曲げられて延びていることを特徴とする箱状機器取付け金具。
【請求項４】
請求項１〜請求項３のいずれか一つの請求項に記載の箱状機器取付け金具において、
前記第１金具と前記第２金具とは、それぞれ、２個ずつ設けられ、かつ、第１箱状機器と第２箱状機器とに所定間隔を離して取り付けられており、
前記第１金具には、それぞれ、所定間隔を空けて一対の第１金具側水平方向連結片部が設けられていると共に、一対の鉛直方向第１金具側連結ボルト孔が設けられている一方、
前記第２金具には、所定間隔を空けて一対の第２金具側連結片部が設けられていることを特徴とする箱状機器取付け金具。
【請求項５】
請求項１〜請求項４のいずれか一つの請求項に記載の箱状機器取付け金具において、
前記第１金具の鉛直方向第１金具側連結ボルト孔および水平方向第１金具側連結ボルト孔と、前記第２金具の第２金具側連結ボルト孔とは、連結ボルトとして角根ボルトを使用した場合にその回転を固定できるように方形状に形成されていることを特徴とする箱状機器取付け金具。
【発明の詳細な説明】
【技術分野】
【０００１】
本発明は、電柱や支柱等の柱からほぼ水平に延びる腕金の左右両側にそれぞれ第１箱状機器と第２箱状機器の２個の箱状機器を取付けるための箱状機器取付け金具に関する。
【背景技術】
【０００２】
従来の箱状機器取付け金具として、例えば、複数のＬ形金具等により腕金の片側にブレーカーや通信機器等の箱状機器を取付ける金具が提案されている（例えば、特許文献１，２参照。）。
【先行技術文献】
【特許文献】
【０００３】
【特許文献１】特開平９−１８２２６３号公報
【特許文献２】特開平１１−３４６４２５号公報
【発明の概要】
【発明が解決しようとする課題】
【０００４】
しかし、前述の従来の箱状機器取付け金具では、腕金の片側にのみ箱状機器を取付けるように構成しているため、腕金の両側に箱状機器を取付けようとすると、２組の箱状機器取付け金具が必要になり、コストがかかると共に、腕金における金具の取付けスペースや重量が増大するという問題があった。
【０００５】
特に、最近は、１本の腕金に各携帯電話会社や通信会社の携帯電話アンテナや、ＧＰＳアンテナ、ＷｉＦｉアンテナ等の多数の携帯電話アンテナや無線通信アンテナ等の箱状機器を取り付けたいとの要求があるが、電柱等に取付けた腕金には、電柱等から所定長さだけ離した位置で、かつ、所定重量以下で各種機器を設ける等という共架ルールがあり、各種取付け金具の取付けスペースをなるべく少なくし、それらの重量を軽減した上で、多数の箱状機器を取付けることが要求されている。
【０００６】
また、近年は通信の自由化で通信会社が増加していると共に、一の通信会社でも採用するアンテナの種類が増加して、各種アンテナ等を内蔵した箱状機器にも縦長や横長形状など各種の寸法のものが出現しており、一つの取付け金具でなるべく寸法が異なる箱状機器を取り付け可能にすることが要求されている。
【０００７】
そこで、本発明はこのような問題に着目してなされたもので、取付けスペースや重量を増大させずに腕金の両側にサイズが異なる箱状機器をなるべく多数取り付けることができる箱状機器取付け金具を提供することを目的とする。
【課題を解決するための手段】
【０００８】
上記課題を解決するため、本発明に係る実施形態の箱状機器取付け金具は、
電柱や支柱等の柱からほぼ水平に延びる腕金の左右両側にそれぞれ第１箱状機器と第２箱状機器の２個の箱状機器を取付けるための箱状機器取付け金具であって、
腕金が通されて腕金に固定されると共に、第１箱状機器を取り付け可能な第１金具と、
第２箱状機器が固定されると共に、腕金に固定された第１金具に連結される第２金具とから構成され、
前記第２金具は、
第２箱状機器が取付けられる第２箱状機器取付け片部と、
その第２箱状機器取付け片部に連続しており、前記第１金具と連結ボルトにより連結される第２金具側連結ボルト孔が形成された第２金具側連結片部とを有しており、第２箱状機器に対して前記第２箱状機器取付け片部が水平方向および鉛直方向に取り付け可能であることを特徴とする。
ここで、
前記第１金具は、
第１箱状機器に取付けるための第１箱状機器取付け片部と、
その第１箱状機器取付け片部に連続しており、腕金を貫通させる腕金貫通孔が形成されていると共に、第２箱状機器に対して鉛直方向に取り付けられた第２金具の第２金具側連結片部に当接して連結ボルトにより連結可能な鉛直方向第１金具側連結ボルト孔を有する第１金具側垂直方向連結片部と、
その第１金具側垂直方向連結片部から水平方向に延び、第２箱状機器に対して水平方向に取り付けられた第２金具の第２金具側連結片部に当接して連結ボルトにより連結可能な水平方向第１金具側連結ボルト孔を有する第１金具側水平方向連結片部とを有すると良い。
また、
前記第１金具の第１金具側垂直方向連結片部の上部には、腕金の長手方向の一方側へ折り曲げられて延び、腕金の上側面に連結ボルトにより連結される腕金取付け面を有する一方、
前記第１金具側水平方向連結片部は、腕金取付け面とは反対の方向に延びるように構成すると良い。
また、
前記第１金具と前記第２金具とは、それぞれ、２個ずつ設けられ、かつ、第１箱状機器と第２箱状機器とに所定間隔を離して取り付けられており、
前記第１金具には、それぞれ、所定間隔を空けて一対の第１金具側水平方向連結片部が設けられていると共に、一対の鉛直方向第１金具側連結ボルト孔が設けられている一方、
前記第２金具には、所定間隔を空けて一対の第２金具側連結片部が設けられているとさらに良い。
また、
前記第１金具の鉛直方向第１金具側連結ボルト孔および水平方向第１金具側連結ボルト孔と、前記第２金具の第２金具側連結ボルト孔とは、連結ボルトとして角根ボルトを使用した場合にその回転を固定できるように方形状に形成されているとさらに良い。
【発明の効果】
【０００９】
本発明の箱状機器取付け金具は、第１金具と第２金具とから構成され、第２金具は、第２箱状機器が取付けられる第２箱状機器取付け片部と、その第２箱状機器取付け片部に連続しており、第１金具と連結ボルトにより連結される第２金具側連結ボルト孔が形成された第２金具側連結片部とを有しており、第２箱状機器に対して第２箱状機器取付け片部が水平方向および鉛直方向に取り付け可能であるため、取付けスペースや重量を増大させずに腕金の両側にサイズが異なる箱状機器をなるべく多数取り付けることができる。
【図面の簡単な説明】
【００１０】
【図１】本発明に係る実施形態の箱状機器取付け金具を使用して腕金の両側に箱状機器等を取付けた状態を示す斜視図である。
【図２】本発明に係る実施形態の箱状機器取付け金具を使用して腕金の両側に箱状機器等を取付けた状態を示す別の斜視図である。
【図３】本発明に係る実施形態の箱状機器取付け金具を構成する第１金具の斜視図である。
【図４】（ａ）〜（ｃ）それぞれ、本発明に係る実施形態の箱状機器取付け金具を構成する第１金具の正面図、底面図、左側面図である。
【図５】本発明に係る実施形態の箱状機器取付け金具を構成する第２金具の斜視図である。
【図６】（ａ）〜（ｃ）それぞれ、本発明に係る実施形態の箱状機器取付け金具を構成する第２金具の正面図、平面図、右側面図である。
【図７】（ａ），（ｂ）それぞれ本発明に係る実施形態の箱状機器取付け金具の第１金具のみを腕金に固定して第１箱状機器のみを腕金に取付けた状態を示す平面図、正面図である。
【図８】本発明に係る実施形態の箱状機器取付け金具を使用して腕金の両側に鉛直方向の第１金具に対し鉛直方向に第２金具を連結して第１箱状機器と第２箱状機器を取り付けた状態を示す正面図（ただし、第１箱状機器は２点鎖線で示している。）である。
【図９】本発明に係る実施形態の箱状機器取付け金具を使用して腕金の両側に鉛直方向の第１金具に対し鉛直方向に第２金具を連結して第１箱状機器と第２箱状機器を取り付けた状態を示す右側面図である。
【図１０】本発明に係る実施形態の箱状機器取付け金具を使用して腕金の両側に鉛直方向の第１金具に対し鉛直方向に第２金具を連結して第１箱状機器と第２箱状機器を取り付けた状態を示す底面図である。
【図１１】第１金具に対し鉛直方向に第２金具を連結する場合の連結方法を示す分解斜視図である。
【図１２】本発明に係る実施形態の箱状機器取付け金具を使用して腕金の両側に鉛直方向の第１金具に対し水平方向に第２金具を連結して第１箱状機器と第２箱状機器を取り付けた状態を示す正面図（ただし、第１箱状機器は２点鎖線で示している。）である。
【図１３】本発明に係る実施形態の箱状機器取付け金具を使用して腕金の両側に鉛直方向の第１金具に対し水平方向に第２金具を連結して第１箱状機器と第２箱状機器を取り付けた状態を示す右側面図である。
【図１４】本発明に係る実施形態の箱状機器取付け金具を使用して腕金の両側に鉛直方向の第１金具に対し鉛直方向に第２金具を連結して第１箱状機器と第２箱状機器を取り付けた状態を示す底面図である。
【図１５】第１金具に対し水平方向に第２金具を連結する場合の連結方法を示す分解斜視図である。
【発明を実施するための形態】
【００１１】
以下、本発明に係る実施形態の箱状機器取付け金具１について、図面を参照して説明する。
【００１２】
図１および図２に示すように、本実施形態の箱状機器取付け金具１は、支柱や電柱等の柱５からほぼ水平に延びる腕金２の左右両側にそれぞれ第１箱状機器３１と、サイズ等が異なる別の第２箱状機器３２（図１参照。）または第２箱状機器３３（図２参照。）を取付けるためのもので、１枚の金属板からなる第１金具１１と第２金具１２とを２つずつ設けて構成される。つまり、本実施形態の箱状機器取付け金具１では、第１箱状機器３１と、第２箱状機器３２と、第２箱状機器３３の３個の箱状機器のうち２個の箱状機器の同時取り付け（第１箱状機器３１の取り付けは必須である。）が可能である。
【００１３】
ここで、図１は、鉛直方向、すなわち腕金２の長手方向に対し垂直方向に延びる第１金具１１に対し、第２箱状機器３２に同方向に固定された第２金具１２を連結して第１箱状機器３１と第２箱状機器３２とを腕金２の両側に取り付けた状態を示している。
【００１４】
また、図２は、鉛直方向に延びる第１金具１１に対し、第２箱状機器３３に水平方向、すなわち腕金２の長手方向に対し並行方向に固定された第２金具１２を連結して第１箱状機器３１と第２箱状機器３３とを腕金２の両側に取り付けた状態を示している。
【００１５】
なお、図１および図２において、４は腕金２を柱５に取付けるための公知の腕金取付バンドで、ボルトとナットにより電柱や支柱等の柱５（図８以降参照。）に固定する。
【００１６】
＜第２金具１２＞
第２金具１２は、図５および図６に示すように、第２箱状機器３２，３３に固定されると共に、腕金２に固定された第１金具１１に連結されるもので、第２箱状機器３２，３３が取付けられる第２箱状機器取付け片部１２ａと、その第２箱状機器取付け片部１２ａに連続してほぼ９０度だけ折り曲げて構成され、第１金具１１と連結される第２金具側連結片部１２ｂ，１２ｃとを有しており、後述するように第２箱状機器３２，３３に対して第２箱状機器取付け片部１２ａが水平方向および鉛直方向に取り付けることができる。
【００１７】
第２箱状機器取付け片部１２ａには、第２箱状機器３２，３３をネジやボルト等で固定するための複数の取付け孔１２ａ１が設けられている。
【００１８】
第２金具側連結片部１２ｂ，１２ｃには、それぞれ、第１金具１１と連結ボルト６ａおよび締結ナット６ｂにより連結するため第２金具側連結ボルト孔１２ｂ１，１２ｃ１が設けられている。ここで、第１金具１１と第２金具１２との連結には、いわゆる角根ボルトの連結ボルト６ａを使用するため、第２金具側連結ボルト孔１２ｂ１，１２ｃ１の形状は、正方形状に形成している。
【００１９】
＜第１金具１１＞
第１金具１１は、図３および図４に示すように、腕金２が通されて腕金２に固定されると共に、第１箱状機器３１を取り付けるもので、第１箱状機器取付け片部１１ａと、第１金具側垂直方向連結片部１１ｂ，１１ｃと、第１金具側水平方向連結片部１１ｄ，１１ｅとを有する。
【００２０】
第１箱状機器取付け片部１１ａは、ネジやボルト等により第１箱状機器３１に取付けるためのもので、第１箱状機器３１に設けられた取付け孔等の位置に合せた位置に取付け孔１１ａ１が設けられている。
【００２１】
第１金具側垂直方向連結片部１１ｂ，１１ｃは、それぞれ、その第１箱状機器取付け片部１１ａに連続して上方と下方とに間を空けて設けたもので、第２箱状機器３２に対して鉛直方向に取り付けられた第２金具１２の第２金具側連結片部１２ｂ，１２ｃに当接して角根ボルトである連結ボルト６ａおよび締結ナット６ｂにより連結するための鉛直方向第１金具側連結ボルト孔１１ｂ１，１１ｃ１を有する。
【００２２】
また、第１金具側垂直方向連結片部１１ｂ，１１ｃのうち、上側の第１金具側垂直方向連結片部１１ｂには、さらに腕金２を貫通させる腕金貫通孔１１ｂ２が形成されていると共に、腕金２の上側面に当接して腕金２に対し連結ボルト６ａおよび締結ナット６ｂにより固定するためのボルト孔１１ｂ４が設けられた腕金当接片部１１ｂ３が設けられている。
【００２３】
また、第１金具側垂直方向連結片部１１ｂ，１１ｃの下端部には、それぞれ、第１金具側垂直方向連結片部１１ｂ，１１ｃから水平方向に延びるように９０度折り曲げられた第１金具側水平方向連結片部１１ｄ，１１ｅが設けられており、第１金具側水平方向連結片部１１ｄ，１１ｅには、それぞれ、第２箱状機器３２，３３に対して水平方向に取り付けられた第２金具１２の第２金具側連結片部１２ｂ，１２ｃに当接して角根ボルトである連結ボルト６ａおよび締結ナット６ｂにより連結するための水平方向第１金具側連結ボルト孔１１ｄ１，１１ｅ１が設けられている。
【００２４】
次に、本発明に係る実施形態の箱状機器取付け金具１を使用して腕金２に第１箱状機器３１および第２箱状機器３２，３３の取り付ける方法について説明する。
【００２５】
＜第１箱状機器３１の取付け＞
まずは、本実施形態の箱状機器取付け金具１を使用して腕金２に第１箱状機器３１の取り付けについて説明する。
【００２６】
図７（ａ），（ｂ）は、それぞれ、本実施形態の箱状機器取付け金具１の第１金具１１のみを腕金２に固定して第１箱状機器３１のみを腕金２に取付けた状態を示す平面図、正面図である。
【００２７】
この場合、例えば、まずは予め第１箱状機器３１に２個の第１金具１１を、間隔をあけてボルトやネジ等７により取り付けておく。
【００２８】
次に、図７（ａ），（ｂ）に示すように、第１金具１１の上側の第１金具側垂直方向連結片部１１ｂの腕金貫通孔１１ｂ２に腕金２を通すと共に、第１金具１１の腕金当接片部１１ｂ３のボルト孔１１ｂ４から角根の連結ボルト６ａ’を通して締結ナット６ｂ’により締付けることにより、第１金具１１等を介して腕金２に第１箱状機器３１を取り付けることができる。
【００２９】
＜第１箱状機器３１と第２箱状機器３２との取り付け（第２金具１２は鉛直方向）＞
次に、図７（ａ），（ｂ）に示すように第１金具１１により第１箱状機器３１を腕金２に取り付けた後、２個の第２金具１２を介して図１に示すように第２箱状機器３２を取り付ける場合について説明する。
【００３０】
図８〜図１０は、それぞれ、本実施形態の箱状機器取付け金具１を使用して腕金２の一方側に鉛直方向に第１金具１１を取り付けると共に、その第１金具１１に対し鉛直方向に第２金具１２を連結して第１箱状機器３１と第２箱状機器３２を取り付けた状態を示す正面図（ただし、第１箱状機器は２点鎖線で示している。）、右側面図、底面図である。
【００３１】
また、図１１は、鉛直方向に延びる２個の第１金具１１に対し鉛直方向に２個の第２金具１２を連結する場合の連結方法を示す分解斜視図である。
【００３２】
この場合、例えば、予め第２箱状機器３２に鉛直方向に延びる２個の第２金具１２を、水平方向に間隔をあけてボルトやネジ等７により取り付けておく。
【００３３】
次に、図８〜図１１に示すように、第１箱状機器３１に鉛直方向に延びるように取り付けられた第１金具１１の第１金具側垂直方向連結片部１１ｂ，１１ｃの鉛直方向第１金具側連結ボルト孔１１ｂ１，１１ｃ１と、第２箱状機器３２に鉛直方向に延びるように取り付けられた第２金具１２の第２金具側連結片部１２ｂ，１２ｃの第２金具側連結ボルト孔１２ｂ１，１２ｃ１の位置を合わせて、角根の連結ボルト６ａを通して締結ナット６ｂにより締付けることにより、第１金具１１と第２金具１２とを連結する。
【００３４】
つまり、この場合は、図８〜図１１に示すように、鉛直方向に延びる２個の第１金具１１に対し、鉛直方向に延びる２個の第２金具１２を連結して、第１箱状機器３１と第２箱状機器３２を取り付けることになる。
【００３５】
その結果、図８〜図１０に示すように、本実施形態の箱状機器取付け金具１を使用して腕金２の両側に第１箱状機器３１と第２箱状機器３２を取り付けることができる。
【００３６】
＜第１箱状機器３１と第２箱状機器３３との取り付け（第２金具１２は水平方向）＞
次に、図７（ａ），（ｂ）に示すように第１箱状機器３１が取付けられた第１金具１１を腕金２に固定した後、２個の第２金具１２を介して図２に示すように第２箱状機器３３を取り付ける場合について説明する。
【００３７】
図１２〜図１４は、それぞれ、本実施形態の箱状機器取付け金具１を使用して腕金２の一方側に鉛直方向に第１金具１１を取り付けると共に、その第１金具１１に対し水平方向に第２金具１２を連結して第１箱状機器３１と第２箱状機器３３を取り付けた状態を示す正面図（ただし、第１箱状機器は２点鎖線で示している。）、右側面図、底面図である。
【００３８】
また、図１５は、鉛直方向に延びる２個の第１金具１１に対し水平方向に延びる２個の第２金具１２を連結する場合の連結方法を示す分解斜視図である。
【００３９】
この場合、例えば、まずは図１２〜図１４に示すように、予め第２箱状機器３２に水平方向に延びる２個の第２金具１２を、鉛直方向に間隔をあけてボルトやネジ等７により取り付けておく。
【００４０】
次に、図１２〜図１４に示すように、第１箱状機器３１に鉛直方向に延びるように取り付けられた第１金具１１の第１金具側水平方向連結片部１１ｄ，１１ｅの水平方向第１金具側連結ボルト孔１１ｄ１，１１ｅ１と、第２箱状機器３３に水平方向に延びるように取り付けられた第２金具１２の第２金具側連結片部１２ｂ，１２ｃの第２金具側連結ボルト孔１２ｂ１，１２ｃ１の位置を合わせて、角根の連結ボルト６ａを通して締結ナット６ｂにより締付けることにより、第１金具１１と第２金具１２とを連結する。
【００４１】
つまり、この場合は、第１箱状機器３１と第２箱状機器３３を省略して図示する図１５に示すように、鉛直方向に延びる２個の第１金具１１に対し水平方向に延びる２個の第２金具１２を連結して、第１箱状機器３１と第２箱状機器３２を取り付けることになる。
【００４２】
その結果、図１２〜図１４に示すように、本実施形態の箱状機器取付け金具１を使用して腕金２の両側に第１箱状機器３１と第２箱状機器３３を取り付けることができる。
【００４３】
従って、本実施形態の箱状機器取付け金具１によれば、第１金具１１と第２金具１２とをそれぞれ２個ずつ使用して、図１等に示すように第１箱状機器３１と第２箱状機器３２を腕金２に取り付けたり、あるいは図２等に示すように第１箱状機器３１と第２箱状機器３３を腕金２に取り付けることができるので、取付けスペースや重量を増大させずに腕金２の両側に第１箱状機器３１と第２箱状機器３２，３３を取付けることができると共に、一つの箱状機器取付け金具１で寸法が異なる第１箱状機器３１と第２箱状機器３２，３３を取り付けることができる。
【００４４】
特に、本実施形態の箱状機器取付け金具１は、第１金具１１の第１金具側垂直方向連結片部１１ｂ，１１ｃの上部には、腕金２の長手方向の一方側へ折り曲げられて延び、腕金２の上側面に連結ボルトにより連結される腕金当接片部１１ｂ３を有する一方、第１金具側垂直方向連結片部１１ｂ，１１ｃの下端部にそれぞれ設けられた第１金具側水平方向連結片部１１ｄ，１１ｅは腕金当接片部１１ｂ３とは反対の方向に延びるように構成したため、腕金２に対し第1金具１１を固定する連結ボルト６ａ’およびナット６ｂ’と、第１金具１１に対し水平方向に延びる第１金具１２を連結する連結ボルト６ａおよびナット６ｂが第１金具１１に対し同じ側に対向するように位置しない。そのため、腕金２に対し第1金具１１を固定した後、第１金具１１に対し水平方向に延びる第１金具１２を連結する際、連結ボルト６ａおよびナット６ｂと連結ボルト６ａ’およびナット６ｂ’とが相互に干渉することがないので、取付け作業性が向上する。
【００４５】
また、本実施形態の箱状機器取付け金具１では、第１金具１１と第２金具１２とは、それぞれ、２個ずつ使用し、第１箱状機器３１と第２箱状機器３２，３３とに所定間隔を離して取り付けられており，第１金具１１には、それぞれ、所定間隔を空けて一対の第１金具側水平方向連結片部１１ｄ，１１ｅが設けられていると共に、一対の鉛直方向第１金具側連結ボルト孔１１ｂ１，１１ｃ１が設けられている一方、第２金具１２には、所定間隔を空けて一対の第２金具側連結片部１２ｂ，１２ｃが設けられているため、寸法が異なる第１箱状機器３１と第２箱状機器３２，３３をより安定した状態で取り付けることができる。
【００４６】
また、本実施形態の箱状機器取付け金具１では、第１金具１１の鉛直方向第１金具側連結ボルト孔１１ｂ１，１１ｃ１および水平方向第１金具側連結ボルト孔１１ｄ１，１１ｅ１と、第２金具１２の第２金具側連結ボルト孔１２ｂ１，１２ｃ１とは、連結ボルト６ａとして角根ボルトを使用した場合にその回転を固定できるように方形状に形成したため、第１金具１１と第２金具１２の連結作業性を向上させることができ、全体として第１箱状機器３１、第２箱状機器３２または第２箱状機器３３の取付け作業性を向上させることができる。
【００４７】
また、本実施形態の箱状機器取付け金具１では、第１金具１１と第２金具１２とは、それぞれ、一枚の金属板をカットおよび曲げ加工することにより形成されているため、信頼性の高い金具を低コストで製造することができる。
【符号の説明】
【００４８】
１  箱状機器取付け金具
１１  第１金具
１１ａ  第１箱状機器取付け片部
１１ａ１  取付け孔
１１ｂ，１１ｃ  第１金具側垂直方向連結片部
１１ｂ１，１１ｃ１  鉛直方向第１金具側連結ボルト孔
１１ｄ，１１ｅ  第１金具側水平方向連結片部
１１ｄ１，１１ｅ１  水平方向第１金具側連結ボルト孔
１２  第２金具
１２ａ  第２箱状機器取付け片部
１２ａ１  取付け孔
１２ｂ，１２ｃ  第２金具側連結片部
１２ｂ１，１２ｃ１  第２金具側連結ボルト孔
２  腕金
３１  第１箱状機器
３２，３３  第２箱状機器
４  腕金取付バンド
５  柱
６ａ、６ａ’  連結ボルト
６ｂ、６ｂ’  締結ナット
７  ボルトやネジ等
【図１】
2015149806.tif 000003
【図２】
2015149806.tif 000004
【図３】
2015149806.tif 000005
【図４】
2015149806.tif 000006
【図５】
2015149806.tif 000007
【図６】
2015149806.tif 000008
【図７】
2015149806.tif 000009
【図８】
2015149806.tif 000010
【図９】
2015149806.tif 000011
【図１０】
2015149806.tif 000012
【図１１】
2015149806.tif 000013
【図１２】
2015149806.tif 000014
【図１３】
2015149806.tif 000015
【図１４】
2015149806.tif 000016
【図１５】
2015149806.tif 000017